(57)【特許請求の範囲】
【請求項１】
被験者の乳房が載せられる撮影台と、
前記撮影台に載せられた乳房に放射線を照射する放射線源と、
前記撮影台に対して近接又は離間する方向に移動可能に設けられ、前記撮影台に対して近接する方向に移動することで乳房を前記撮影台に押し付ける押圧板と、
装置本体に設けられ、前記押圧板に備えられた取付部が着脱可能に取り付けられる被取付装置と、
前記被取付装置に設けられ、前記取付部が差し込まれる被差込部材と、
前記被取付装置に設けられ、前記取付部に形成された凹部に挿入されて前記取付部を前記被差込部材に固定する突起部材と、
前記被取付装置に設けられ、前記突起部材が前記凹部に挿入される挿入位置と、前記突起部材が前記凹部から退避して前記取付部の移動を許容する退避位置とに間を移動可能に前記突起部材を支持する支持部材と、
前記被取付装置に設けられ、前記突起部材が挿入位置に移動するように前記突起部材を付勢する第一付勢部材と、
前記被取付装置に設けられ、前記突起部材に固定され、前記突起部材と共に移動する移動部材と、
前記被取付装置に設けられ、前記移動部材に支持されると共に、前記取付部が差し込まれる前記被差込部材の差込領域に対して進入又は退避する方向に移動可能とされる規制部材と、
前記被取付装置に設けられ、前記規制部材を前記差込領域に対して進入する進入方向に付勢する第二付勢部材と、を備え、  
前記規制部材は、
前記被差込部材に前記取付部が差し込まれていない状態で、前記第二付勢部材の付勢力で前記進入方向に付勢されて少なくとも一部が前記差込領域に進入すると共に、前記第一付勢部材の付勢力で前記被差込部材と当接して前記突起部材が退避位置から挿入位置へ移動するのを規制し、前記被差込部材に前記取付部が差し込まれるのを許容する許容位置と、
前記許容位置に配置された状態で前記被差込部材の差込領域に差し込まれた前記取付部に押されて、前記差込領域に対して退避する退避方向に移動することで前記被差込部材との当接状態が解除され、前記第一付勢部材の付勢力により移動して前記突起部材を退避位置から挿入位置へ移動させるロック位置と、
前記ロック位置に配置された状態で外部からの負荷により前記第一付勢部材の付勢力に対抗する方向に移動し、前記第二付勢部材の付勢力により前記進入方向に移動することで前記被差込部材に差し込まれた前記取付部と前記第一付勢部材の付勢力で当接して前記突起部材を挿入位置から退避位置へ移動させると共に、前記被差込部材の差込領域に差し込まれた前記取付部を前記被差込部材から離脱させると、前記第一付勢部材の付勢力で移動して前記許容位置へ復帰するロック解除位置と、
の間を移動可能に支持される放射線撮像装置。
【請求項２】
前記規制部材は、前記取付部の差込方向から見て前記被差込部材に差し込まれた前記取付部を挟むように複数個設けられる請求項１に記載の放射線撮像装置。
【発明の詳細な説明】
【技術分野】
【０００１】
本発明は、医療用に用いられる放射線撮像装置に関する。
【背景技術】
【０００２】
特許文献１には、撮影台に載せられた被験者の乳房を撮像する放射線撮像装置（マンモグラフィ装置）が記載されている。そして、この放射線撮像装置には、被験者の乳房を撮影台に押し付ける押付板が設けられている。
【０００３】
詳細には、押圧板に備えられた取付部を、装置本体に設けられたスライド部にスライドさせることで、押付板は装置本体に着脱可能とされる構成となっている。
【先行技術文献】
【特許文献】
【０００４】
【特許文献１】特開２００２−６５６５３号公報
【発明の概要】
【発明が解決しようとする課題】
【０００５】
しかし、従来の放射線撮像装置では、押圧板の取付部が取り付けられるスライド部の構成及び取付部をスライド部にロックするロック機構について詳細に示されていない。そのため、スライド部に押圧板を取り付ける場合には、先ず、技師がスライド部のロック機構のロックを解除し、スライド部に取付部をスライドさせて挿入した後、今度は、技師がロック機構でロックさせるものと考えられる。つまり、技師は、ロックを解除させる動作と、ロックを作動させる動作を行うものと考えられる。
【０００６】
本発明の課題は、押圧板の取付部を装置本体に装着及び離脱させる際に、技師の動作を少なくすることである。
【課題を解決するための手段】
【０００７】
本発明の請求項１に係る放射線撮像装置は、被験者の乳房が載せられる撮影台と、前記撮影台に載せられた乳房に放射線を照射する放射線源と、前記撮影台に対して近接又は離間する方向に移動可能に設けられ、前記撮影台に対して近接する方向に移動することで乳房を前記撮影台に押し付ける押圧板と、装置本体に設けられ、前記押圧板に備えられた取付部が着脱可能に取り付けられる被取付装置と、前記被取付装置に設けられ、前記取付部が差し込まれる被差込部材と、前記被取付装置に設けられ、前記取付部に形成された凹部に挿入されて前記取付部を前記被差込部材に固定する突起部材と、前記被取付装置に設けられ、前記突起部材が前記凹部に挿入される挿入位置と、前記突起部材が前記凹部から退避して前記取付部の移動を許容する退避位置とに間を移動可能に前記突起部材を支持する支持部材と、前記被取付装置に設けられ、前記突起部材が挿入位置に移動するように前記突起部材を付勢する第一付勢部材と、前記被取付装置に設けられ、前記突起部材に固定され、前記突起部材と共に移動する移動部材と、前記被取付装置に設けられ、前記移動部材に支持されると共に、前記取付部が差し込まれる前記被差込部材の差込領域に対して進入又は退避する方向に移動可能とされる規制部材と、前記被取付装置に設けられ、前記規制部材を前記差込領域に対して進入する進入方向に付勢する第二付勢部材と、を備え、前記規制部材は、前記被差込部材に前記取付部が差し込まれていない状態で、前記第二付勢部材の付勢力で前記進入方向に付勢されて少なくとも一部が前記差込領域に進入すると共に、前記第一付勢部材の付勢力で前記被差込部材と当接して前記突起部材が退避位置から挿入位置へ移動するのを規制し、前記被差込部材に前記取付部が差し込まれるのを許容する許容位置と、前記許容位置に配置された状態で前記被差込部材の差込領域に差し込まれた前記取付部に押されて、前記差込領域に対して退避する退避方向に移動することで前記被差込部材との当接状態が解除され、前記第一付勢部材の付勢力により移動して前記突起部材を退避位置から挿入位置へ移動させるロック位置と、前記ロック位置に配置された状態で外部からの負荷により前記第一付勢部材の付勢力に対抗する方向に移動し、前記第二付勢部材の付勢力により前記進入方向に移動することで前記被差込部材に差し込まれた前記取付部と前記第一付勢部材の付勢力で当接して前記突起部材を挿入位置から退避位置へ移動させると共に、前記被差込部材の差込領域に差し込まれた前記取付部を前記被差込部材から離脱させると、前記第一付勢部材の付勢力で移動して前記許容位置へ復帰するロック解除位置と、の間を移動可能に支持されることを特徴とする。
【０００８】
上記構成によれば、装置本体に設けられた被取付装置の被差込部材に、押圧板に備えられた取付部が着脱可能に差し込まれて取り付けられている。そして、被取付装置に取り付けられた押圧板は撮影台に載せられた乳房を撮影台に押し付ける。この状態で、放射線源が乳房に放射線を照射して被験者の乳房が撮像される。
【０００９】
一方、被取付装置には、押圧板の取付部に形成された凹部に挿入されて取付部を被差込部材に固定する突起部材が設けられている。そして、支持部材は、突起部材を突起部材が凹部に挿入される挿入位置と、突起が凹部から退避して取付部の移動を許容する退避位置とに間を移動可能に支持する。さらに、第一付勢部材は、突起部材が挿入位置に移動するように突起部材を付勢する。
【００１０】
また、突起部材に固定された移動部材に支持される規制部材は、取付部が差し込まれる被差込部材の差込領域に対して進入又は退避する方向に移動可能とされており、第二付勢部材は、この規制部材を差込領域に対して進入する進入方向に付勢している。
【００１１】
ここで、被差込部材に取付部が差し込まれていない状態では、この規制部材は、第二付勢部材の付勢力で進入方向に付勢されて少なくとも一部が差込領域に進入する。そして、規制部材は、第一付勢部材の付勢力で被差込部材と当接して突起部材が退避位置から挿入位置へ移動するのを規制して、被差込部材に取付部が差し込まれるのを許容する許容位置に配置されている。
【００１２】
また、規制部材は、許容位置に配置された状態で被差込部材に差し込まれた取付部に押されて、差込領域に対して退避する退避方向に移動することで被差込部材との当接状態が解除される。そして、規制部材は、第一付勢部材の付勢力により移動して突起部材を退避位置から挿入位置へ移動させるロック位置に配置される。
【００１３】
さらに、規制部材は、ロック位置に配置された状態で外部からの負荷により第一付勢部材の付勢力に対向する方向に移動する。そして、規制部材は、第二付勢部材の付勢力により進入方向に移動することで被差込部材に差し込まれた取付部と第一付勢部材の付勢力により当接して突起部材を挿入位置から退避位置へ移動させるロック解除位置に配置される。
【００１４】
また、規制部材がロック解除位置に配置された状態で、被差込部材に差し込まれた取付部を被差込部材から離脱させると、規制部材は、第一付勢部材の付勢力で移動して許容位置へ復帰する。
【００１５】
このように、規制部材が、許容位置とロック位置とロック解除位置との間を移動することで、押圧板の取付部を装置本体の被差込部材に装着及び離脱させる際に、技師の動作を少なくすることができる。
【００１６】
本発明の請求項２に係る放射線撮像装置は、請求項１に記載において、前記規制部材は、前記取付部の差込方向から見て前記被差込部材に差し込まれた前記取付部を挟むように複数個設けられることを特徴とする。
【００１７】
上記構成によれば、規制部材は、取付部の差込方向から見て被差込部材に差し込まれた取付部を挟むように複数個設けられる。これにより、片側にしか規制部材が設けられていない場合と比して、誤作動により、突起部材が挿入位置から退避位置へ又は退避位置から挿入位置へ移動するのを抑制することができる。
【発明の効果】
【００１８】
本発明によれば、押圧板の取付部を装置本体に装着及び離脱させる際に、技師の動作を少なくすることができる。
【図面の簡単な説明】
【００１９】
【図１】本発明の実施形態に係るＸ線撮像装置に用いられる被取付装置を示した断面図である。
【図２】本発明の実施形態に係るＸ線撮像装置に用いられる被取付装置を示した断面図である。
【図３】本発明の実施形態に係るＸ線撮像装置に用いられる被取付装置を示した断面図である。
【図４】本発明の実施形態に係るＸ線撮像装置に用いられる被取付装置及び押圧板の取付部を示した分解斜視図である。
【図５】本発明の実施形態に係るＸ線撮像装置に用いられる被取付装置を示した斜視図である。
【図６】（Ａ）（Ｂ）本発明の実施形態に係るＸ線撮像装置に用いられる押圧板における取付部の側面図及び断面図である。
【図７】本発明の実施形態に係るＸ線撮像装置に用いられる押圧板の取付部を示した斜視図である。
【図８】（Ａ）（Ｂ）（Ｃ）本発明の実施形態に係るＸ線撮像装置に用いられる押圧板の正面図、平面図及び断面図である。
【図９】本発明の実施形態に係るＸ線撮像装置に用いられる被取付装置及び押圧板の取付部を示した斜視図である。
【図１０】本発明の実施形態に係るＸ線撮像装置を示した側面図である。
【図１１】本発明の実施形態に係るＸ線撮像装置を示した斜視図である。
【発明を実施するための形態】
【００２０】
本発明の実施形態に係る放射線撮像装置の一例について図１〜図１１に従って説明する。
【００２１】
（全体構成）
図１０、図１１に示されるように、放射線撮像装置の一例としてのＸ線撮像装置（マンモグラフィ）１０は、立位状態の被験者Ｌの乳房ＮをＸ線で撮影する装置であり、ＣＣ（頭尾方向。（Ｃｒａｎｉｏ＆Ｃａｕｄａｌ））撮影とＭＬＯ（内外斜位方向。Ｍｅｄｉａｌ−Ｌａｔｅｒａｌ−Ｏｂｌｉｑｕｅ）撮影との両者を行うことができる装置である。
【００２２】
なお、各図では、鉛直方向を矢印Ｖと、被験者Ｌの前後方向を矢印Ｄと、被験者Ｌの幅方向を矢印Ｗと記載する。
【００２３】
Ｘ線撮像装置１０は、被験者Ｌの前後方向（以下単に前後方向と言う場合がある）の被験者Ｌ側に設けられた測定部１２と、測定部１２を背後から支える基台部１４とを備えている。測定部１２には、前後方向の背面側（被験者Ｌを向いていない側）に延出して基台部１４に回動可能に支持される回動軸１６が設けられている。そして、回動軸１６が基台部１４に支持されることによって測定部１２が基台部１４に回動可能に支持されるようになっている。
【００２４】
さらに、測定部１２は、立位の被験者Ｌ（患者）の乳房Ｎが載せられる平面状の載置面２０が形成された撮影台２２と、Ｘ線管球（図示省略）が設けられて載置面２０に向けて検査用のＸ線を照射する放射線源の一例としての放射線照射装置２４と、乳房Ｎを載置面２０に押し付ける押圧板２６と、押圧板２６を撮影台２２に対して近接離間方向に移動させる近接離間機構１８と、撮影台２２と放射線照射装置２４を保持する保持部２８と、を備えている。
【００２５】
そして、近接離間機構１８には、基端部が上下移動機構（図示省略）に固定され、先端部に押圧板２６が着脱可能に取り付けられる装置本体の一例としてのケース５０が設けられている。なお、押圧板２６をケース５０に着脱可能に取り付ける構成については詳細を後述する。
【００２６】
また、保持部２８には、ＣＣ撮影時に被験者Ｌが把持する一対のハンドル３４が、撮影台２２を挟むように設けられている。さらに、ハンドル３４を構成し被験者Ｌによって握られる握り部３６は、載置面２０の垂直線に対し被験者側とは反対側（すなわち被験者Ｌにとって奥側）に傾斜した棒状部とされ、載置面２０に近づくに従い、被験者Ｌの側に徐々に近くようになっている。
【００２７】
一方、撮影台２２の前後方向の正面側には、ＣＣ撮影時には被験者Ｌの乳房Ｎよりも下方の胸部分を当接させる胸壁当接部３８が設けられている。また、撮影台２２の内部には、載置面２０を通過した放射線が照射されるＸ線検出器としての放射線検出器（図示省略）が設けられている。
【００２８】
（要部構成）
次に、押圧板２６を装置本体に着脱可能に取り付ける構成について説明する。
【００２９】
図９に示されるように、押圧板２６は、乳房Ｎを撮影台２２（図１１参照）に押し付ける押圧部４０を備えている。さらに、押圧板２６は、基端部が押圧部４０の一部から延びて設けられると共に押圧板２６を支持する支持部４２を備えている。そして、支持部４２の先端部には、ケース５０の先端部に設けられた被取付装置５２に着脱可能に取り付けられる直方体状の取付部４４が形成されている。
【００３０】
詳細には、図４、図５に示されるように、被取付装置５２には、取付部４４が幅方向から差し込まれるＣ型状の被差込部材５４が設けられている。具他的には、被差込部材５４は、幅方向（差込方向）から見て上下方向に延びる底面５６を備えている。さらに、被差込部材５４は、底面５６の上端及び下端を基端部として前後方向の被験者Ｌ側に延びる一対の側板５８と、側板５８の先端部から内側に折り曲げられたフランジ部５９と、を含んで構成されている。そして、底面５６の中央側には、底面５６の表裏を貫通する円孔５６Ａが形成されている。
【００３１】
さらに、この円孔５６Ａの内部には、取付部４４に形成された凹状の凹部８６（図７参照）に挿入されて取付部４４を被差込部材５４に固定する円柱状の突起部材６０が設けられている。
【００３２】
図１に示されるように、突起部材６０は、前後方向（矢印Ｄ方向）に延びて設けられている。そして、突起部材６０は、被差込部材５４と一体的に設けられる支持部材６２に支持され、突起部材６０が凹部８６に挿入される挿入位置（図２参照）と、突起部材６０が凹部８６から退避して取付部４４の幅方向（差込方向）の移動を許容する許容位置（図１、図３参照）との間を移動可能とされている。つまり、突起部材６０は、前後方向の被験者Ｌ側に移動して挿入位置に配置され、前後方向の背面側に移動して退避位置に配置されるようになっている。
【００３３】
さらに、突起部材６０の基端部には、突起部材６０に固定され、移動する突起部材６０と共に移動する移動部材６４が設けられている。移動部材６４は、板部材を折り曲げて形成されている。そして、移動部材６４は、幅方向から見て、突起部材６０の基端部が固定されると共に鉛直方向に延びる底板６４Ａと、底板６４Ａの上端から前後方向の被験者側に延びる側板６４Ｂと、底板６４Ａの下端から前後方向の被験者側に延びる側板６４Ｃとを備えて構成されている。
【００３４】
さらに、移動部材６４及び後述する規制部材７４を外側から覆うと共に、幅方向の両側及び前後方向の被験者Ｌ側が開放され、移動部材と一緒に前後方向に移動する筐体部材６６が設けられている。そして、筐体部材６６の上面には、技師が把持可能な把持部６６Ａが上方に突出するように設けられている。
【００３５】
一方、移動部材６４の底板６４Ａを挟んで突起部材６０の反対側には、移動部材６４に固定されると共に、移動部材６４の底板６４Ａを支持する支持ブロック６８が設けられている。さらに、被取付装置５２には、突起部材６０が挿入位置（図２参照）に移動するように支持ブロック６８を介して突起部材６０を付勢する第一付勢部材の一例としてのコイルスプリング７０が複数個設けられている。
【００３６】
また、支持部材６２には、前後方向に移動可能な複数個（本実施形態では一例として、上段に３本下段に３本計６本）の識別ピン９６が設けられ、さらに、識別ピン９６を前後方向の被験者Ｌ側に付勢するコイルスプリング９８が設けられている。また、識別ピン９６の基端側（前後方向の背面側）には、識別ピン９６の移動を検知する図示せぬ検知部材が設けられている。
【００３７】
ここで、識別ピン９６を付勢する複数個のコイルスプリング９６のバネ係数（個々のコイルスプリング９６のバネ係数の合計）は、支持ブロック６８を介して突起部材６０を付勢する複数個のコイルスプリング７０のバネ係数（個々のコイルスプリング７０のバネ係数の合計）より小さくされている。つまり、コイルスプリング７０の付勢力よる突起部材６０の移動は、コイルスプリング９８の付勢力による識別ピン９６の移動に左右されないようになっている。
【００３８】
これにより、取付部４４を被取付装置５２の被差込部材５４に差し込んだ際には、コイルスプリング７０の付勢力により、突起部材６０が取付部４４の凹部８６に挿入されて取付部４４が被差込部材５４に固定される。そして、所定の識別ピン９６は取付部４４側に移動（突出）して後述する取付部４４の識別凹部１００に挿入される。一方、他の識別ピン９６はコイルスプリング９８の弾性変形（圧縮変形）により取付部４４側に移動（突出）しない（図２参照）。これにより、押圧板２６の種類を識別できるようになっている。
【００３９】
つまり、前述したように、複数個のコイルスプリング９６のバネ係数を、複数個のコイルスプリング７０のバネ係数より小さくすることで、突起部材６０によって取付部４０を固定した上で、識別ピン４４による押圧板２６の種類の識別が可能となっている。
【００４０】
一方、移動部材６４の側板６４Ｂ、６４Ｃには、取付部４４が差し込まれる被差込部材５４の差込領域７２に対して進入又は退避する方向（本実施例では鉛直方向）に移動可能とされる円柱状の規制部材７４が設けられている。そして、この規制部材７４を差込領域７２に対して進入する進入方向に付勢する第二付勢部材の一例としてのコイルスプリング７６が設けられている。
【００４１】
詳細には、取付部４４が被差込部材５４に差し込まれていない状態では、コイルスプリング７６によって進入方向に付勢される規制部材７４の先端側は、幅方向から見て、被差込部材５４の側板５８の基端側に形成された開口部５８Ａを通して差込領域７２に進入している。そして、コイルスプリング７０の付勢力で開口部５８Ａの縁部と当接して突起部材６０が退避位置から挿入位置へ移動するのを規制するようになっている。さらに、規制部材７４の基端部には、図示せぬイン検知センサが設けられており、規制部材７４が退避方向に移動すると、被差込部材５４に取付部４４が差し込まれたことを検知するようになっている。
【００４２】
また、規制部材７４の先端部には、被差込部材５４に差し込まれる取付部４４と当って差込領域７２に対して退避する退避方向に押されるテーパ部７４Ａが形成されている。つまり、この状態では、規制部材７４は、被差込部材５４に取付部４４が差し込まれるのを許容する許容位置に配置されるようになっている。
【００４３】
さらに、図２に示されるように、許容位置に配置される規制部材７４を退避方向に移動させると、規制部材７４と開口部５８Ａの縁部との当接状態が解除され、移動部材６４に固定される規制部材７４及び突起部材６０はコイルスプリング７０の付勢力で前後方向の被験者Ｌ側に移動するようになっている。具体的には、規制部材７４は、被差込部材５４の側板５８の外側を向いた面に沿って前後方向の被験者Ｌ側に移動するようになっている。
【００４４】
一方、突起部材６０は、前後方向の被験者Ｌ側に移動し、退避位置から挿入位置へ移動するようになっている。つまり、この状態では、規制部材７４は、コイルスプリング７０の付勢力により移動して突起部材６０を退避位置から挿入位置へ移動させるロック位置に配置されるようになっている。
【００４５】
また、図３に示されるように、筐体部材６６を前後方向の背面側に移動させると、規制部材７４及び突起部材６０が前後方向の背面側に移動する。
【００４６】
そして、規制部材７４は、コイルスプリング７６の付勢力により、被差込部材５４の開口部５８Ａを通して進入方向に移動して、被差込部材５４に差し込まれた取付部４４と前後方向で当接するようになっている。一方、突起部材６０は、前後方向の背面側に移動し、挿入位置から退避位置へ移動するようになっている。そして、この状態では、被差込部材５４に差し込まれた取付部４４を被差込部材５４から離脱させると、規制部材７４は、コイルスプリング７０の付勢力で移動して許容位置（図１参照）へ復帰するようになっている。つまり、規制部材７４は、被差込部材５４に差し込まれた取付部４４を被差込部材５４から離脱可能なロック解除位置に配置されるようになっている。
【００４７】
次に、被差込部材５４に差し込まれる押圧板２６の取付部４４について説明する。
【００４８】
図６、図７、図８に示されるように、取付部４４は、幅方向（差込方向）に延びる直方体状とされており、被差込部材５４の上方に設けられた側板５８に対して幅方向（差込方向）に摺動可能な第一摺動面８０と、第一摺動面８０に対して反対側に設けられ、被差込部材５４の下方に設けられた側板５８に対して幅方向（差込方向）に摺動可能な一対の第二摺動面８２とを備えている。
【００４９】
さらに、第一摺動面８０の縁辺と第二摺動面８２の縁辺とに挟まれるように取付面８４が設けられ、取付面８４は、前後方向の背面側に突出する段差面８４Ａを備えている。また、取付面８４に設けられた段差面８４Ａには、取付部４４が被差込部材５４に差し込まれた状態で、幅方向に対して交差する方向（本実施形態では直交する方向）に延びるスロット状の凹部８６が形成されている。また、段差面８４と凹部８６とから構成される角部には、テーパ部８８が設けられ、突起部材６０が容易に凹部８６に飲み込まれるようになっている。
【００５０】
さらに、段差面８４Ａには、円状の識別凹部１００が３個設けられており、前述した識別ピン９６がコイルスプリング９８の付勢力で挿入されるようになっている（図２参照）。
【００５１】
一方、第一摺動面８０及び第二摺動面８２には、取付部４４が被差込部材５４（図４参照）に差し込まれると、開口部５４Ａから差込領域７２に進入した規制部材７４のテーパ部７４Ａと当り、規制部材７４を退避させる当接面９０が設けられている。
【００５２】
当接面９０は、当接面９０に対して幅方向（差込方向）の両側に配置された他の面９２によりも外側に突出して形成され、他の面９２と当接面９０との間には、幅方向に対して傾斜した傾斜面９４が設けられている。
【００５３】
（作用・効果）
次に、押圧板２６の着脱方法を示しながら要部構成の作用について説明する。
【００５４】
図１、図４に示されるように、被取付装置５２の被差込部材５４に、押圧板２６の取付部４４が差し込まれていない状態では、規制部材７４は、被差込部材５４に取付部４４が差し込まれるのを許容する許容位置に配置されている。
【００５５】
詳細には、コイルスプリング７６の付勢力により、規制部材７４の先端部は、被差込部材５４の側板５８に設けられた開口部５８Ａを通して差込領域７２に進入している。そして、コイルスプリング７０の付勢力により、規制部材７４は、前後方向で開口部５８Ａの縁部と当り、突起部材６０の前後方向の被験者Ｌ側への移動を規制している。これにより、突起部材６０は、取付部４４の凹部８６から退避して取付部４４の幅方向（差込方向）の移動を許容する許容位置に配置されている。
【００５６】
図４に示されるように、押圧板２６を被取付装置５２に装着する場合には、押圧板２６の取付部４４を幅方向に移動させ、取付部４４を被差込部材５４に差し込む。これにより、一対の規制部材７４の先端部は、第一摺動面８０及び第二摺動面８２に形成された他の面９２と対向しながら、傾斜面９４に沿って退避方向に押圧されて当接面９０に至る。
【００５７】
図２に示されるように、許容位置に配置される規制部材７４を退避方向に移動させると、規制部材７４と開口部５８Ａの縁部との当接状態が解除される。そして、移動部材６４に固定される規制部材７４及び突起部材６０はコイルスプリング７０の付勢力で前後方向の被験者Ｌ側に移動する。具体的には、規制部材７４は、被差込部材５４の側板５８の外側を向いた面に沿って前後方向の被験者Ｌ側に移動する。そして、規制部材７４の基端部に設けられた図示せぬイン検知センサが、被差込部材５４に取付部４４が差し込まれたことを検知する。
【００５８】
一方、突起部材６０も、前後方向の被験者Ｌ側に移動し、退避位置から挿入位置へ移動する。つまり、突起部材６０は、テーパ部８８に沿って凹部８６に挿入される。
【００５９】
さらに、取付部４４に形成された識別凹部１００に対向した識別ピン９８は、コイルスプリング９８の付勢力で識別凹部１００に挿入される。これにより、識別ピン９６の基端側に設けられた図示せぬ検知部材が、どの識別ピン９６が移動したのかを検知することで、どの形の押圧板２６が差し込まれたのかが識別される。この状態では、規制部材７４は、コイルスプリング７０の付勢力により移動して突起部材６０を退避位置から挿入位置へ移動させるロック位置に配置される。
【００６０】
そして、被取付装置５２に固定された押圧板２６で撮影台２２に載せられた被験者Ｌの乳房Ｎを押圧し、放射線照射装置２４を用いて乳房Ｎを撮像する（図１０参照）。
【００６１】
図３に示されるように、押圧板２６を被取付装置５２から離脱する場合には、技師が、筐体部材６６の把持部６６Ａを把持して筐体部材６６を前後方向の背面側に移動させる。これにより、規制部材７４及び突起部材６０が、前後方向の背面側に移動する。
【００６２】
そして、規制部材７４は、コイルスプリング７６の付勢力により、被差込部材５４の開口部５８Ａを通して進入方向に移動して、被差込部材５４に差し込まれた取付部４４と前後方向で当接する。
【００６３】
一方、突起部材６０は、前後方向の背面側に移動し、挿入位置から退避位置へ移動する。つまり、この状態で、規制部材７４は、被差込部材５４に差し込まれた取付部４４を被差込部材５４から離脱可能な、ロック解除位置に配置される。
【００６４】
そして、技師が、押圧板２６の取付部４４を幅方向に移動させて被差込部材５４から離脱させると、規制部材７４と取付部４４との当接が解除され、規制部材７４が図１に示す許容位置に復帰する。
【００６５】
以上、説明したように、規制部材７４を許容位置、ロック位置及びロック解除位置に移動可能とすることで、例えば、ロック解除位置に規制部材７４が配置される状態で、取付部４４を被差込部材５４から離脱させると規制部材７４はコイルスプリング７０の付勢力により許容位置に移動する。このように、押圧板２６の取付部４４を被差込部材５４に装着及び離脱させる際に、技師の動作を少なくすることができる。
【００６６】
また、規制部材７４は、取付部４４の幅方向（差込方向）から見て被差込部材５４に差し込まれた取付部４４を挟むように２個設けられる。これにより、片側にしか規制部材が設けられていない場合と比して、誤作動により、突起部材６０が挿入位置から退避位置へ又は退避位置から挿入位置へ移動するのを抑制することができる。
【００６７】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、特に言及しなかったが、ステレオ撮影やトモシンセンス撮影を行う場合に、前述したＸ線撮像装置１０を用いてもよい。
【００６８】
また、上記実施形態では、規制部材７４を２個用いて説明したが、１個又は３個以上であってもよい。
【符号の説明】
【００６９】
１０          Ｘ線撮像装置（放射線撮像装置）
２２          撮影台
２６          押圧板
５２          被取付装置
５４          被差込部材
６０          突起部材
６２          支持部材
６４          移動部材
７０          コイルスプリング（第一付勢部材の一例）
７２          差込領域
７４          規制部材
７６          コイルスプリング（第二付勢部材の一例）
８６          凹部
【図１】
0005615760.tif 000002
【図２】
0005615760.tif 000003
【図３】
0005615760.tif 000004
【図４】
0005615760.tif 000005
【図５】
0005615760.tif 000006
【図６】
0005615760.tif 000007
【図７】
0005615760.tif 000008
【図８】
0005615760.tif 000009
【図９】
0005615760.tif 000010
【図１０】
0005615760.tif 000011
【図１１】
0005615760.tif 000012